(57)【要約】      （修正有）【課題】事前にユーザ自身で自分の事業の承継を可能にするシステムを提供する。【解決手段】ユーザデータベース３ｂは、ユーザの事業を承継させることに関する情報を含み、事業承継者データベースは、ユーザの事業を承継することに関する情報を含む。管理サーバ３ａは、事業を承継させることに関する情報を公開する情報公開部と、ユーザと事業承継者をマッチングさせる事業承継支援部と、を備える。【選択図】図１
2019086814.tif 000002
【特許請求の範囲】
【請求項１】
ユーザ端末と、事業承継者端末と、管理サーバと、ユーザデータベースと、事業承継者データベースと、各種システムとがネットワークを介して接続されたエンディング支援システムであって、
前記ユーザデータベースは、
ユーザの事業を承継させることに関する情報を含み、
前記事業承継者データベースは、
ユーザの事業を承継することに関する情報を含み、
前記管理サーバは、
事業を承継させることに関する情報を公開する情報公開部と、
ユーザと事業承継者をマッチングさせる事業承継支援部と、を備えることを特徴とするエンディング支援システム。
【請求項２】
前記各種システムは、
前記ユーザデータベースに記憶されたユーザの事業を承継させることに関する情報と、
前記事業承継者データベースに記憶されたユーザの事業を承継することに関する情報とに基づいて、ユーザの事業の承継マッチングを行う事業承継マッチングシステムを含むことを特徴とする請求項１に記載のエンディング支援システム。
【請求項３】
前記事業承継者端末からの広告情報を受け取り蓄積する広告情報サーバと、
前記広告情報を管理する広告管理サーバと、を備え、
ユーザと事業承継者をマッチングさせる際に事業承継者の広告を出力することを特徴とする請求項１または請求項２に記載のエンディング支援システム。
【発明の詳細な説明】
【技術分野】
【０００１】
この発明は、人生のエンディングに関する行事や管理など支援するエンディング支援システムに関する。
【背景技術】
【０００２】
従来から、ネットワークを用いた冠婚葬祭を支援するためのシステムまたは方法が多数知られている。その多くは、冠婚葬祭に関する金品の成就の負担を軽減することや、直接、式典等に参加することができない利用者や、イベントの連絡担当者をサポートすることを目的としている。例えば、特許文献１には、冠婚葬祭の依頼者の端末からイベント情報を入力し、入力されたイベント情報に基づいて冠婚葬祭のドキュメントを作成して利用者に配信し、そのドキョメントを表示させた利用者の端末から祝儀・香典等の金額、利用者の個人情報を入力し、依頼者の端末から謝礼返しを手配する方法が記載されている。
【０００３】
また、例えば、特許文献２には、参加者に対してパスワードを事前に配布し、パスワードを入力することにより式典等のインターネット放送が視聴できるようになり、その視聴画面から電子商取引が可能な画面へ移行し、視聴者が冠婚葬祭等に伴う金銭の支払いができるようにするシステムが記載されている。また、特許文献３には、冠婚葬祭イベントが発生した場合に、イベントに関する情報をセキュリティーンゾーンに登録しておいた連絡先に配信できる冠婚葬祭情報配信システムが記載されている。また、例えば、特許文献４には、事前にユーザ自身で自分の葬祭などを企画し、企画に基づく執行することを可能にするエンディング支援システムが記載されている。
【先行技術文献】
【特許文献】
【０００４】
【特許文献１】特開２００１−２５６３１９号公報
【特許文献２】特開２００２−８３０７５号公報
【特許文献３】特開２００１−３１８９９９号公報
【特許文献４】特開２０１５−２１９８０７号公報
【発明の概要】
【発明が解決しようとする課題】
【０００５】
このように、冠婚葬祭を支援するためのシステムまたは方法が多数知られており、また事前に自分の葬祭などを企画するものも知られているが、事業を行なっているユーザにとっては、事業の承継は重要な問題である。特に、中小企業にとって、オーナー社長の経営手腕が会社の強みや存立基盤そのものになっていることが多く、事業を引き継ぐ事業承継者は重要な経営課題である。
【０００６】
この発明は、かかる実情に鑑みてなされたもので、事前にユーザ自身で自分の事業の承継を可能にするエンディング支援システムを提供することを目的とする。
【課題を解決するための手段】
【０００７】
前記課題を解決し、かつ目的を達成するために、この発明は、以下のように構成した。
【０００８】
請求項１に記載の発明は、ユーザ端末と、事業承継者端末と、管理サーバと、ユーザデータベースと、事業承継者データベースと、各種システムとがネットワークを介して接続されたエンディング支援システムであって、
前記ユーザデータベースは、  ユーザの事業を承継させることに関する情報を含み、
前記事業承継者データベースは、
ユーザの事業を承継することに関する情報を含み、
前記管理サーバは、
事業を承継させることに関する情報を公開する情報公開部と、
ユーザと事業承継者をマッチングさせる事業承継支援部と、を備えることを特徴とするエンディング支援システムである。
【０００９】
請求項２に記載の発明は、前記各種システムは、
前記ユーザデータベースに記憶されたユーザの事業を承継させることに関する情報と、
前記事業承継者データベースに記憶されたユーザの事業を承継することに関する情報とに基づいて、ユーザの事業の承継マッチングを行う事業承継マッチングシステムを含むことを特徴とする請求項１に記載のエンディング支援システムである。
【００１０】
請求項３に記載の発明は、前記事業承継者端末からの広告情報を受け取り蓄積する広告情報サーバと、
前記広告情報を管理する広告管理サーバと、を備え、
ユーザと事業承継者をマッチングさせる際に事業承継者の広告を出力することを特徴とする請求項１または請求項２に記載のエンディング支援システムである。
【発明の効果】
【００１１】
前記構成により、この発明は、以下のような効果を有する。
【００１２】
請求項１乃至請求項３に記載の発明では、ユーザデータベースは、ユーザの事業を承継させることに関する情報を含み、事業承継者データベースは、ユーザの事業を承継することに関する情報を含み、事業を承継させることに関する情報を公開し、ユーザと事業承継者をマッチングさせることで、事前にユーザ自身で自分の事業の承継を可能にする。
【図面の簡単な説明】
【００１３】
【図１】エンディング支援システムの全体構成を示す図である。
【図２】管理サーバの構成を示す図である。
【図３】エンディング支援のステップを示す図である。
【図４】エンディング支援システムのメニュー画面を示す図である。
【図５】自身の情報入力画面を示す図である。
【図６】資産の情報入力画面を示す図である。
【図７】家族・親族・友人の情報入力画面を示す図である。
【図８】エンディングの企画メニュー画面である。
【図９】介護企画画面である。
【図１０】介護費用企画画面である。
【図１１】告知企画画面である。
【図１２】延命治療企画画面である。
【図１３】延命治療費用企画画面である。
【図１４】臓器提供・検体企画画面である。
【図１５】葬儀企画画面である。
【図１６】お墓企画画面である。
【図１７】遺言企画画面である。
【図１８】エンディングのシミュレーション実行画面である。
【図１９】介護シミュレーション実行画面である。
【図２０】告知シミュレーション実行画面である。
【図２１】延命治療シミュレーション実行画面である。
【図２２】臓器提供・検体シミュレーション実行画面である。
【図２３】葬儀シミュレーション実行画面である。
【図２４】お墓シミュレーション実行画面である。
【図２５】遺言シミュレーション実行画面である。
【図２６】エンディング執行準備画面である。
【図２７】エンディングの執行画面である。
【図２８】エンディング支援システムの全体構成を示す図である。
【図２９】管理サーバの構成を示す図である。
【図３０】事業承継に関する情報入力画面を示す図である。
【図３１】事業承継者に関する情報入力画面を示す図である。
【図３２】ユーザの事業承継マッチング検索画面を示す図である。
【発明を実施するための形態】
【００１４】
以下、この発明のエンディング支援システム及びエンディング支援方法の実施の形態について説明する。この発明の実施の形態は、発明の最も好ましい形態を示すものであり、この発明はこれに限定されない。
【００１５】
（エンディング支援システムの構成）
図１はエンディング支援システムの全体構成を示す図、図２は管理サーバの構成を示す図、図３はエンディング支援のステップを示す図である。このエンディング支援システム１は、複数のユーザ端末２と、システム中核部３と、各種システム４と、がネットワーク５を介して接続されたシステムである。
【００１６】
システム中核部３は、管理サーバ３ａとユーザデータベース３ｂとを有し、この管理サーバ３ａは、エンディングページ作成部３ａ１と、エンディング企画部３ａ２と、シミュレーション実行部３ａ３と、エンディング執行準備部３ａ４と、エンディング執行部３ａ５とを有する。
【００１７】
ユーザデータベース３ｂは、複数のユーザ端末２から人生のエンディングに関する基礎情報が入力されると、この基礎情報をユーザ端末２毎に蓄積する。エンディングページ作成部３ａ１は、人生のエンディングに関する基礎情報を発信したユーザ端末２を特定し、各ユーザ別にエンディングのマイページを設定し、「ログイン用ＩＤ」と「パスワード」を発行する。ユーザは、「ログイン用ＩＤ」と「パスワード」を入力して入力された基礎情報に基づいて各ユーザ別にエンディングのマイページを作成する。
【００１８】
エンディング企画部３ａ２は、エンディングページ作成部３ａ１で作成されたエンディングページの情報と各種システム４からの情報に基づいてユーザのエンディングを企画する。シミュレーション実行部３ａ３は、事前にエンディング企画部３ａ２において企画されたエンディングのシミュレーションを実行し、シミュレーションによってユーザのエンディングの行事などを確認する。エンディング執行準備部３ａ４は、企画されたエンディングを執行するための準備を行い、エンディング執行部３ａ５は、死亡により企画されたエンディングを執行する。
【００１９】
各種システム４は、少なくとも情報入力のサポートを含むサポートシステム４ａと、エンディングを企画するためのコンサルティングシステム４ｂと、エンディングを執行するための代行サービスシステム４ｃと、エンディングを企画または執行するためのマッチングシステム４ｄと、エンディングの企画または執行の紹介に伴う紹介料または公告に伴う公告料を課金する課金システム４ｅの少なくともいずれか１つを含む。
【００２０】
このエンディング支援方法は、複数のユーザ端末２と、システム中核部３と、各種システム４とがネットワーク５を介して接続されたシステムにおけるエンディング支援方法であって、システム中核部３のユーザデータベース３ｂは、複数のユーザ端末２から人生のエンディングに関する基礎情報が入力されると、この基礎情報をユーザ端末２毎に蓄積する。管理サーバ３ａは、図３に示すように、基礎情報に基づいてユーザのエンディングページを作成するステップＳ１と、エンディングページの情報と各種システム４からの情報に基づいてユーザのエンディングを企画するステップＳ２と、事前に企画されたエンディングのシミュレーションを実行するステップＳ３と、企画されたエンディングを執行するための準備を行うステップＳ４と、死亡により企画されたエンディングを執行するステップＳ５とを実行する。
【００２１】
このエンディング支援方法は、サポートシステム４ａを用いて、利用者に対してユーザ端末２からの少なくとも情報入力を遠隔操作などの手段を用いてサポートを行い、情報入力が間違いなく容易にできるようにする。また、コンサルティングシステム４ｂを用いて、ユーザに対して、会計士、公認会計士、司法書士、弁護士、コンサルタントなどの専門知識を活用するなどし、客観的に現状を認識、問題点を指摘し、原因を分析し、対策案を示してユーザを助け、エンディングの企画のコンサルティングを行う。代行サービスシステム４ｃを用いて、エンディングの執行の代行サービスを行い、マッチングシステム４ｄを用いて、エンディングの企画または執行を行う業者、専門知識を有する者とのマッチングを行う。また、課金システム４ｅを用いて、エンディングの企画または執行の紹介に伴う紹介料または公告に伴う公告料を課金する。
【００２２】
このように、人生のエンディングに関する基礎情報を発信したユーザ端末２を特定し、基礎情報に基づいてユーザのエンディングページを作成し、エンディングページの情報と各種システムからの情報に基づいてユーザのエンディングを企画し、事前に企画されたエンディングのシミュレーションを実行し、企画されたエンディングを執行するための準備を行い、死亡により企画されたエンディングを執行することで、事前にユーザ自身で自分の葬祭などを企画し、企画に基づく執行することが可能である。
【００２３】
（エンディング支援システムのメニュー）
それぞれのユーザ端末２は、入力部及び表示部を有し、入力部はキーボード及びマウスで構成され、表示部はディスプレーの表示画面で構成される。図４はエンディング支援システムのメニュー画面を示す図である。エンディング支援システムのメニュー画面は、エンディングページ作成部１０と、エンディング企画部１１と、エンディングシミュレーション実行部１２と、エンディング執行準備部１３と、エンディング執行部１４を有する。このエンディング支援システム１では、サポートシステム４ａを用いて、ユーザに対してユーザ端末２からの少なくとも情報入力を遠隔操作などの手段を用いてサポートを行うことができ、ユーザが容易に利用できるようにしている。
【００２４】
エンディングページ作成部１０において、作成窓１０ａをクリックすると、入力窓１０ｂが表示される。この入力窓１０ｂには、自分自身の情報、資産の情報、家族・親族・友人の情報、その他の情報の記入欄が設けられ、この記入欄をクリックすることで、図５乃至図７の入力画面が表示される。エンディング企画部１１において、選択窓１１ａをクリックすると、企画窓１１ｂが表示される。この企画窓１１ｂには、介護、告知、延命治療、臓器提供・検体、葬儀、お墓、遺言書、その他の企画実行欄が設けられ、この企画実行欄をクリックすることで、図８のエンディングの企画メニュー画面が表示される。エンディングシミュレーション実行部１２において、選択欄１２ａをクリックすると、実行窓１２ｂが表示される。この実行窓１２ｂには、介護、告知、延命治療、臓器提供・検体、葬儀、お墓、遺言書、その他の実行欄が設けられ、この実行欄をクリックすることで、図１８のエンディングのシミュレーション実行画面が表示される。エンディング執行準備部１３において、選択欄１３ａをクリックすると、執行準備窓１３ｂが表示される。この執行準備窓１３ｂには、介護、告知、延命治療、臓器提供・検体、葬儀、お墓、遺言書、その他の執行準備欄が設けられ、この執行準備欄をクリックすることで、図２６のエンディング執行準備画面が表示される。エンディング執行部１４において、選択欄１４ａをクリックすると、執行窓１４ｂが表示される。この執行窓１４ｂには、介護、告知、延命治療、臓器提供・検体、葬儀、お墓、遺言書、その他の執行欄が設けられ、この執行欄をクリックすることで、図２７のエンディングの執行画面が表示される。この入力窓１０ｂ、企画窓１１ｂ、実行窓１２ｂ、執行準備窓１３ｂ、執行窓１４ｂの記載は一例であり、この限りではない。
【００２５】
（エンディングページ作成）
エンディングページの作成は、図５乃至図７の情報入力画面により行われる。図５は自身の情報入力画面を示す図、図６は資産の情報入力画面を示す図、図７は家族・親族・友人の情報入力画面を示す図である。
【００２６】
図５の自身の情報入力画面において、健康状態入力部２０でアレルギーの有無のチェック２０ａを行い、「有り」の場合は、食品・薬剤・その他何なのかを明確にしておく。健康診断の履歴のリスト２０ｂのクリックで記載欄２０ｂ１が表示され、最近受けた健康診断書の記載を行い、実施日時、診断書の保管場所を明記する。かかりつけの医療機関のリスト２０ｃのクリックで同様に記載欄が表示され、医療機関の名称などを記載し、常用している薬のリスト２０ｄのクリックで同様に記載欄が表示され、薬名を記載する。
【００２７】
身分証明入力部２１で証明書のリスト２１ａのクリックで記載欄２１ａ１が表示され、健康保険証、高齢受給者証、介護保険被保険者証、基礎年金番号、その他年金、パスポート、運転免許証などの記載、記号、番号、保管場所…などを明確に記載する。印鑑のリスト２１ｂのクリックで記載欄２１ｂ１が表示され、実印、銀行印、認印などの記載、保管場所…などを明確に記載する。その他のリスト２１ｃのクリックで記載欄２１ｃ１が表示され、印鑑登録カード…などの記載、記号、番号、保管場所…などを明確に記載する。
【００２８】
ペット情報入力部２２で犬のリスト２２ａ、猫のリスト２２ｂ、その他のリスト２２ｃのクリックで記載欄２２ａ１，２２ｂ１，２２ｃ１が表示され、基本データとして名前、性別、年齢、種類、血統書の有無、保管場所、番号、かかりつけの医者、加入している保険会社やその内容、自分自身が面倒を見られなくなった時、預かってくれる人や施設の詳細情報を記載し明確にしておく。この健康状態入力部２０、身分証明入力部２１、ペット情報入力部２２の記載は一例であり、この限りではなく、例えば趣味情報入力部などを設けることができる。
【００２９】
図６の資産の情報入力画面において、預金情報入力３０で金融機関のリスト３０ａのクリックで記載欄３１ａ１が表示され、金融機関毎の預貯金の種類・口座番号・名義人などの基本情報、印鑑、通帳、カード、印鑑などの保管場所を記載し明確にしておく。引き落とし情報入力部３１で金融機関のリスト３１ａのクリックで記載欄３１ａ１が表示され、金融機関毎の引き落としロ座について電気、ガス、水道、電話、携帯電話、ＮＨＫ、有線放送、クレジットカード、各種ローンなど引き落とし日を記載し明確にしておく。
【００３０】
有価証券・その他金融資産情報入力部３２で証券会社などのリスト３２ａのクリックで記載欄３２ａ１が表示され、例えば証券会社毎に金融資産の種類、名称、内容、時価などの基本データ、保管場所、処理方法などを記載し、本人以外の人間が理解できるように具体的にする。
【００３１】
不動産・動産情報入力３３で不動産・動産のリスト３３ａのクリックで記載欄３３ａ１が表示され、自宅の土地・建物、別荘、乗用車、美術品などのデータを記載し、運用資産のリスト３３ｂのクリックで記載欄３３ｂ１が表示され、貸している土地、建物などのデータを記載し、さらに名義人（共有者を含む）・持分・抵当権なども記載する。
【００３２】
加入保険情報入力部３４で生命保険のリスト３４ａ、その他の保険のリスト３４ｂのクリックで記載欄３４ａ１，３４ｂ１が表示され、保険の種類、保険会社名、契約者、被保険者、証券番号、加入日、保険金、満期、満期保険金額、保険料の支払い方法、支払い終了期日、満期保険受取人、特約、保険金の受取人、連絡先、保管場所などの情報を記載し、契約している全ての保険を明確化しておく。
【００３３】
年金情報入力部３５で公的年金のリスト３５ａのクリックで記載欄３５ａ１が表示され、公的年金について基礎年金番号、年金コード、受給日、受給金額、年金受取口座などのデータを記載し、私的年金のリスト３５ｂのクリックで記載欄３５ｂ１が表示され、私的年金について年金の名称、保険会社名、受取開始日、受取期間、年金受取口座などのデータを記載し、公的年金、私的年金の全てを明確にしておく。
【００３４】
債務情報入力部３６で借入金のリスト３６ａ、ローンのリスト３６ｂ、債務保証のリスト３６ｃ、そのたの負の資産のリスト３６ｄのクリックを行うことで、詳細な情報を記載して借入金について借入先・借入日・借入金額・返済期限・借入残高・借入目的・契約書の保管場所、債務保証について保証した日・保証した金額・主債務者、連絡先・債権者、連絡先、契約書（コピーでも良い）の保管場所などを明確にしておく。本人だけしか判らない部分が多く、裏付けとなる契約書（証書）の保管管理が絶対要件であり、本人が元気な内に「整理」・「処理」しておく。
【００３５】
貸付金情報入力部３７で借入金のリスト３７ａのクリックを行うことで、貸付金の貸付先、貸付日、貸付金額、返済方法、返済状況、貸付残額、証書などの詳細情報を記載する。この預金情報入力３０、引き落とし情報入力部３１、有価証券・その他金融資産情報入力部３２、不動産・動産情報入力３３、加入保険情報入力部３４、年金情報入力部３５、債務情報入力部３６、貸付金情報入力部３７の記載は一例であり、この限りではなく、例えば工業相有権、著作権などの知的財産などの入力部を設けることができる。
【００３６】
図７の家族・親族・友人の情報入力画面において、家族の情報入力部３８でリスト３８ａのクリックを行うことで、また親族の情報入力部３９でリスト３９ａのクリックを行うことで、家族、親族の名前、続き柄、住所などの基本情報を記載し、法定相続人を明確にした家系図を作製し管理できるようにする。また、友人・知人の情報入力部４０でリスト４０ａのクリックを行うことで、友人・知人の名前、どのような関係、利害関係、住所などの情報を記載する。また、エンディング執行人情報入力部４１でリスト４１ａのクリックを行うことで、ユーザが自らのエンディング執行前に故人になった場合でも、家族など代理で執行の権利を有する人を指定しておく。この家族の情報入力部３８、親族の情報入力部３９、友人・知人の情報入力部４０の記載は一例であり、この限りではない。
【００３７】
（エンディング企画）
次に、エンディングの企画を、図８乃至図１７に基づいて説明する。図８はエンディングの企画メニュー画面、図９は介護企画画面、図１０は介護費用企画画面、図１１は告知企画画面、図１２は延命治療企画画面、図１３は延命治療費用企画画面、図１４は臓器提供・検体企画画面、図１５は葬儀企画画面、図１６はお墓企画画面、図１７は遺言企画画面である。
【００３８】
エンディングの企画は、図８のエンディングの企画メニュー画面に表示され、介護企画部５０、告知企画部５１、延命治療企画部５２、臓器提供・献体企画部５３、葬儀企画部５４、お墓企画部５５、遺言企画部５６が設けられ、介護、告知、延命治療、葬儀、お墓、遺言などが企画される。
【００３９】
介護企画部５０において、介護形態選択５０ａをクリックすると、図９の介護企画画面が表示され、介護形態リスト５０ａ１から介護形態を指定し、介護内容を記載することでどのような介護を希望しているのかを明確し、また既に企画している事柄や介護の場所、自宅・介護施設、介護病院、介護の誰に頼みたいか、全て家族の判断に委ねるなどを明確にする。また、既に介護施設との契約（コンタクト）している場合には、施設名、所在地、連絡先、契約内容などを記載する。この介護企画画面には、介護施設、介護病院などの公告、介護のコンサルティング業者の公告、介護代行業者の公告、介護業者とのマッチングを行う業者の公告などの広告欄５０ａ２が設けられており、それぞれの公告に伴う公告料を課金する。この公告欄５０ａ２の介護施設や介護病院などの業者を指定することができ、指定すると指定された業者に対して紹介料として課金される。
【００４０】
また、介護企画部５０において、介護の費用選択５０ｂをクリックすると、図１０の介護費用企画画面が表示され、介護の費用リスト５０ｂ１から費用形態を指定し、預貯金で賄う、保険に加入済、加入保険名、契約保険会社、契約内容、契約書、その他（所有不動産・有価証券…等の売却）などの費用の詳細情報を記載する。この介護費用企画画面には、保険会社などの公告を行う公告欄５０ｂ２が設けられており、公告に伴う公告料を課金する。この公告欄５０ｂ２の保険会社の保険に加入することができ、加入すると保険会社に対して紹介料として課金される。
【００４１】
告知企画部５１で告知の条件選択５１ａをクリックすると、図１１の告知企画画面が表示され、告知の条件リスト５１ａ１から病名と余命の告知について、１．両方ともＮＧ、２．病名のみＯＫ、３．余命が○ヶ月以上の時のみ告知、４．どの様なことも全て告知など告知について自分自身で決めておく。
【００４２】
延命治療企画部５２で延命治療選択５２ａをクリックすると、図１２の延命治療企画画面が表示され、延命治療の形態リスト５２ａ１から回復見込がなくても最後まで出来うる限りの延命治療をする、回復の見込がない場合は無闇な延命治療はしない（尊厳死）、延命よりも苦痛緩和を優先などの延命治療の形態を記載して自分の意思を明確にしておく。また、延命治療の費用選択５２ｂをクリックすると、図１３の延命治療費用企画画面が表示され、延命治療の費用リスト５２ｂ１から預貯金で賄う、保険に加入済、加入保険名、契約保険会社、契約内容、契約書、その他（所有不動産・有価証券…等の売却）で払うなど費用詳細を記載する。
【００４３】
臓器提供・献体企画部５３で臓器提供・献体選択５３ａをクリックすると、図１４の臓器提供・検体企画画面が表示され、臓器提供・献体リスト５３ａ１から臓器提供・献体の部位、条件など詳細に記載し、自分の意思を明確にしておく。            
【００４４】
葬儀企画部５４で葬儀形態選択５４ａをクリックすると、図１５の葬儀企画画面が表示され、葬儀形態リスト５４ａ１から自分の意思の基本情報や既に予約等をしているものの明確化する。例えば、葬儀の希望、例えば「どこでやりたいか」、「盛大」、「質素」、「しなくてもいい」、「家族の判断」などを記載する。また、菩提寺、特定の施設、宗教、喪主、戒名、遺影などについて記載する。また、生前予約（契約）先はあるのか、その業者名、連絡先、契約内容などを記載し、自分自身の意思を明確化しておく。この葬儀企画画面には、葬儀業者、葬儀施設などの公告、葬儀のコンサルティング業者の公告、葬儀代行業者の公告、葬儀業者とのマッチングを行う業者の公告などの広告欄５４ａ２が設けられており、それぞれの公告に伴う公告料を課金する。この公告欄５４ａ２の葬儀業者、葬儀施設などを指定することができ、指定すると指定された業者に対して紹介料として課金される。
【００４５】
お墓企画部５５でお墓の形態選択５５ａをクリックすると、図１６のお墓企画画面が表示され、お墓の形態リスト５５ａ１から「先祖代々の墓」、「既に用意している」、「墓地名・所在地・連絡先」、「どの段階まで準備しているか」などを記載する。また、新たに購入する場合には、具体的条件の明確化、購入費用はどうするのかなど記載する。その他、散骨などのお墓の形態情報を記載する。このお墓企画画面には、お墓業者、お墓施設などの公告、お墓のコンサルティング業者の公告、お墓業者とのマッチングを行う業者の公告などの広告欄５５ａ２が設けられており、それぞれの公告に伴う公告料を課金する。この公告欄５５ａ２のお墓業者、お墓施設などを指定することができ、指定すると指定された業者に対して紹介料として課金される。
【００４６】
遺言企画部５６で遺言書形態選択５６ａをクリックすると、図１７の遺言企画画面が表示され、遺言書形態リスト５６ａ１から「有り」・「無し」の明確化、「有り」の場合は遺言書の種類（自筆・公正証書・その他）、最終作成日を記載する。また、弁護士などの専門家への管理依頼する場合には、依頼者名・運絡先・住所・依頼内容などを記載する。この遺言企画画面には、弁護士などの専門家の公告、弁護士などの専門家とのマッチングを行う業者の公告などの広告欄５６ａ２が設けられており、それぞれの公告に伴う公告料を課金する。この公告欄５６ａ２の弁護士などの専門家、弁護士などの専門家とのマッチングを行う業者を指定することができ、指定すると指定された業者に対して紹介料として課金される。この介護企画部５０、告知企画部５１、延命治療企画部５２、臓器提供・献体企画部５３、葬儀企画部５４、お墓企画部５５、遺言企画部５６の記載は一例であり、この限りではない。
【００４７】
（エンディングシミュレーション実行）
次に、エンディングのシミュレーション実行を、図１８乃至図２５に基づいて説明する。図１８はエンディングのシミュレーション実行画面、図１９は介護シミュレーション実行画面、図２０は告知シミュレーション実行画面、図２１は延命治療シミュレーション実行画面、図２２は臓器提供・検体シミュレーション実行画面、図２３は葬儀シミュレーション実行画面、図２４はお墓シミュレーション実行画面、図２５は遺言シミュレーション実行画面である。
【００４８】
エンディングのシミュレーション実行は、図１８のエンディングのシミュレーション実行画面に表示され、介護実行部６０、告知実行部６１、延命治療実行部６２、臓器提供・献体実行部６３、葬儀実行部６４、お墓実行部６５、遺言実行部６６が設けられており、介護、告知、延命治療、葬儀、お墓、遺言のシミュレーションが実行される。
【００４９】
介護実行部６０で実行欄６０ａをクリックすると、図１９の介護シミュレーション実行画面が表示され、企画した介護内容と、介護の費用などが表示される。告知実行部６１で実行欄６１ａをクリックすると、図２０の告知シミュレーション実行画面が表示され、企画した告知内容が表示される。延命治療実行部６２で実行欄６２ａをクリックすると、図２１の延命治療シミュレーション実行画面が表示され、企画した延命治療の内容と、延命治療の費用が表示される。臓器提供・献体実行部６３で実行欄６３ａをクリックすると、図２２の臓器提供・検体シミュレーション実行画面が表示され、企画した臓器提供・献体の内容が表示される。葬儀実行部６４で実行欄６４ａをクリックすると、図２３の葬儀シミュレーション実行画面が表示され、企画した葬儀内容が表示される。お墓実行部６５で実行欄６５ａをクリックすると、図２４のお墓シミュレーション実行画面が表示され、企画したお墓内容が表示される。遺言実行部６６で実行欄６６ａをクリックすると、図２５の遺言シミュレーション実行画面が表示され、企画した遺言の内容が表示される。
【００５０】
（エンディング執行準備）
次に、エンディング執行準備を、図２６に基づいて説明する。図２６はエンディング執行準備画面である。このエンディング執行準備画面では、死亡にともなう主な届出７０が表示され、遺族は死亡にともなう主な届出に基づいてエンディング執行準備を行うことができる。
【００５１】
（エンディングの執行）
エンディングの執行を、図２７に基づいて説明する。図２７はエンディングの執行画面である。エンディングの執行画面には、臓器提供・検体執行部８０、葬儀執行部８１、お墓執行部８２、遺言執行部８３、執行人指定部８４が設けられている。臓器提供・検体執行部８０の執行欄８０ａをチェックすると、図２２の臓器提供・検体シミュレーション実行画面が表示され、葬儀執行部８１の執行欄８１ａをチェックすると、図２３の葬儀シミュレーション実行画面が表示され、お墓執行部８２の執行欄８２ａをチェックすると、図２４のお墓シミュレーション実行画面が表示され、遺言執行部８３の執行欄８３ａをチェックすると、図２５の遺言シミュレーション実行画面が表示され、それぞれのシミュレーション実行画面の表示に基づいてエンディングが執行される。執行人指定部８４の執行欄８４ａをチェックすると、図７において指定した家族など代理で執行の権利を有する人にＩＤとパスワードを自動で連絡し、ユーザが自らのエンディング執行前に故人になった場合でも、指定された家族など代理で執行することができる。
【００５２】
（事業承継を含むエンディング支援システム）
この実施の形態のエンディング支援システムは、図１乃至図２７と同様に構成されるが、事業承継を含む。図２８はエンディング支援システムの全体構成を示す図、図２９は管理サーバの構成を示す図、図３０は事業承継に関する情報入力画面を示す図、図３１は事業承継者に関する情報入力画面を示す図、図３２はユーザの事業承継マッチング検索画面を示す図である。
【００５３】
エンディング支援システム１は、ユーザ端末２と、事業承継者端末８と、管理サーバ３ａと、広告情報サーバ６と、広告管理サーバ７と、ユーザデータベース３ｂと、事業承継者データベース３ｃと、ネットワーク５を介して接続される。
【００５４】
ユーザ端末２は、図１乃至図２７と同様に構成され、ユーザデータベース３ｂは、事業データベース３ｂ１を有する。ユーザ端末２からの情報入力により、事業データベース３ｂ１は、ユーザの事業を承継させることに関する情報を記憶する。ユーザの事業を承継させることに関する情報は、例えば、事業内容：定款、取扱品目、所在地、等々、企業規模：売上、従業員数、等々、事業承継希望：有無、情報公開許諾：有無、（許諾するまでは公開されない）などである。
【００５５】
ユーザ端末２からの情報入力は、図３０の事業承継に関する情報入力画面を開き、事業内容の情報入力部１１０において、事業内容のリスト選択１１０ａを行い、入力部１１０ａ１に、承継させる業種、会社名、所在地、定款の目的、取扱品目などを入力する。
【００５６】
事業規模の情報入力部１１１において、事業規模のリスト選択１１１ａを行い、入力部１１１ａ１に、事業規模の大中小、売上高、従業員数、資本金などを入力する。事業承継有無の情報入力部１１２において、有無の選択１１２ａを行い、入力部１１２ａ１に、有無を入力する。情報公開許諾有無の情報入力部１１３において、有無の選択１１３ａを行い、入力部１１３ａ１に、有無を入力する。
【００５７】
管理サーバ３ａは、事業を承継させることに関する情報を公開する情報公開部３ａ６を有する。情報公開部３ａ６は、情報公開許諾有無の情報入力部１１３において、入力部１１３ａ１に情報公開許諾を意味する「有」が入力されると、ユーザの事業を承継させることに関する情報を公開して閲覧可能にする。
【００５８】
事業承継者端末８からの情報入力により、事業承継者データベース３ｃは、事業買取希望者と、事業継承コンサル者を記憶する。事業承継者端末８からの情報入力は、図３１の事業承継者に関する情報入力画面を開き、事業買取希望者情報入力部１２０において、業種リスト選択１２０ａを行い、入力部１２０ａ１に、会社名、所在地、規模などを入力する。事業継承コンサル者情報入力部１２１において、業種リスト選択１２１ａを行い、入力部１２１ａ１に、会社名、所在地、規模などを入力する。
【００５９】
管理サーバ３ａは、事業承継者登録部３ａ７を有する。事業承継者登録部３ａ７は、事業承継者端末８からの情報入力に基づき、ユーザの事業を承継する者を事業承継者データベース３ｃに有料登録する。
【００６０】
ユーザの事業の承継マッチングを行う事業承継マッチングシステム４ｆは、事業承継支援部３ａ８を備え、ユーザと事業承継者をマッチングさせる。この実施の形態では、事業承継マッチングシステム４ｆは、ユーザ端末２において、図３２のユーザの事業承継マッチング検索画面を開き、マッチングワード入力部１３０にマッチングワードを入力する。マッチングワードは、例えば、業種、所在地、会社規模などを用い、検索ボタン１３１をクリックして実行すると、マッチングの検索結果１３２が表示される。
【００６１】
この事業承継マッチングシステム４ｆは、ユーザデータベース３ｂに記憶されたユーザの事業を承継させることに関する情報、例えばユーザの事業の業種と、事業承継者データベース３ｃに記憶されたユーザの事業を承継することに関する情報、例えば事業承継者の事業の業種とに基づいて、業種が一致するようにユーザの事業の承継マッチングを行う。
【００６２】
このように、ユーザデータベース３ｂは、ユーザの事業を承継させることに関する情報を含み、事業承継者データベース３ｃは、ユーザの事業を承継することに関する情報を含み、事業を承継させることに関する情報を公開し、ユーザと事業承継者をマッチングさせることで、事前にユーザ自身で自分の事業の承継を可能にする。
【００６３】
広告情報サーバ６は、事業承継者端末８からの広告情報を受け取り蓄積する。広告管理サーバ７は、広告情報サーバ６に蓄積された広告情報を管理し、ユーザと事業承継者をマッチングさせる際に事業承継者の広告を、ユーザ端末２の画面またはプリンタに出力する。
【産業上の利用可能性】
【００６４】
この発明は、人生のエンディングに関する行事や管理など支援するエンディング支援システムに適用され、事前にユーザ自身で自分の事業の承継を可能にする。
【符号の説明】
【００６５】
１  エンディング支援システム
２  ユーザ端末
３  システム中核部
３ａ  管理サーバ
３ａ１  エンディングページ作成部
３ａ２  エンディング企画部
３ａ３  シミュレーション実行部
３ａ４  エンディング執行準備部
３ａ５  エンディング執行部
３ａ６  情報公開部
３ａ８  事業承継支援部
３ｂ  ユーザデータベース
３ｂ１  事業データベース
３ｃ  事業承継者データベース
４    各種システム
４ａ  サポートシステム
４ｂ  コンサルティングシステム
４ｃ  代行サービスシステム
４ｄ  マッチングシステム
４ｅ  課金システム
４ｆ  事業承継マッチングシステム
５  ネットワーク
６  広告情報サーバ
７  広告管理サーバ
１１０  事業内容の情報入力部
１１０ａ  事業内容のリスト選択
１１０ａ１  入力部
１１１  事業規模の情報入力部
１１１ａ  事業規模のリスト選択
１１１ａ１  入力部
１１２  事業承継有無の情報入力部
１１２ａ  有無の選択
１１２ａ１  入力部
１１３  情報公開許諾有無の情報入力部
１１３ａ  有無の選択
１１３ａ１  入力部
１２０  事業買取希望者情報入力部
１２０ａ  業種リスト選択
１２０ａ１  入力部
１３０  マッチングワード入力部
１３１  検索ボタン
１３２  マッチングの検索結果
【図１】
2019086814.tif 000003
【図２】
2019086814.tif 000004
【図３】
2019086814.tif 000005
【図４】
2019086814.tif 000006
【図５】
2019086814.tif 000007
【図６】
2019086814.tif 000008
【図７】
2019086814.tif 000009
【図８】
2019086814.tif 000010
【図９】
2019086814.tif 000011
【図１０】
2019086814.tif 000012
【図１１】
2019086814.tif 000013
【図１２】
2019086814.tif 000014
【図１３】
2019086814.tif 000015
【図１４】
2019086814.tif 000016
【図１５】
2019086814.tif 000017
【図１６】
2019086814.tif 000018
【図１７】
2019086814.tif 000019
【図１８】
2019086814.tif 000020
【図１９】
2019086814.tif 000021
【図２０】
2019086814.tif 000022
【図２１】
2019086814.tif 000023
【図２２】
2019086814.tif 000024
【図２３】
2019086814.tif 000025
【図２４】
2019086814.tif 000026
【図２５】
2019086814.tif 000027
【図２６】
2019086814.tif 000028
【図２７】
2019086814.tif 000029
【図２８】
2019086814.tif 000030
【図２９】
2019086814.tif 000031
【図３０】
2019086814.tif 000032
【図３１】
2019086814.tif 000033
【図３２】
2019086814.tif 000034